(57)【特許請求の範囲】
【請求項１】
排気中の粒子状物質を捕集するフィルタを少なくとも収納した筒形の第１の筐体と、液体還元剤により窒素酸化物を還元浄化する還元触媒を少なくとも収納した筒形の第２の筐体と、を互いの軸線がほぼ平行となるようにして近接配置すると共に、
これら両筐体の遠端部どうしを連結する連通管を、前記各筐体の端部側面に設けられた排出口及び流入口を連結し且つ該連通管の軸線が前記筐体の軸線とほぼ平行となるように配管してあって、
前記第１の筐体から前記第２の筐体へ至る排気の流路が前記連通管により折り返されると共に、排気中に前記液体還元剤を噴射するノズルが前記連通管に配設されており、
前記連通管は、前記排出口及び前記流入口との接続のための曲折部分を両端に形成した直線状の管であり、前記排出口に対する前記曲折部分に前記ノズルが配設されて、前記連通管の直線状の管内に向けて前記液体還元剤を噴射する、
ことを特徴とする排気浄化装置。
【請求項２】
前記第１の筐体の前記フィルタよりも排気上流側に、排気中の一酸化窒素を二酸化窒素に酸化する酸化触媒を収納してあり、
前記第２の筐体の前記還元触媒よりも排気下流側に、排気中のアンモニアを酸化するアンモニア酸化触媒を収納してあることを特徴とする請求項１記載の排気浄化装置。
【発明の詳細な説明】
【技術分野】
【０００１】
本発明は、エンジンの排気浄化装置に関し、特に、選択還元触媒（ＳＣＲ）と共に粒子状物質（ＰＭ）捕集フィルタを備えた排気浄化装置に関する。
【背景技術】
【０００２】
エンジンの排気に含まれる窒素酸化物（ＮＯｘ）を除去する排気浄化装置として近年では、ＳＣＲ式の排気浄化装置が提案されている。この排気浄化装置は、排気系に還元触媒を配設し、該還元触媒の排気上流においてノズルから還元剤を噴射して添加することにより、排気中のＮＯｘと還元剤とを触媒還元反応させて、ＮＯｘを無害成分に浄化処理するものである。その還元反応は、ＮＯｘと反応性が良好なアンモニアを用いるものであり、このための還元剤としては、排気熱及び排気中の水蒸気により加水分解してアンモニアを容易に発生する尿素水溶液やアンモニア水溶液又はＨＣ系などの液体還元剤が用いられる。
【０００３】
また、最近では、排出ガス規制強化に伴い、ＮＯｘ除去に加えてＰＭ捕集の機能も備えたＳＣＲ式の排気浄化装置も実現されている。この場合、還元触媒及びこの還元触媒の排気上流に液体還元剤を噴射するノズルに加えてさらに、ＰＭを捕集するフィルタも配置しなければならず、ノズル及び還元触媒にＰＭ捕集のフィルタを加えたレイアウトを工夫して省スペース化を図る必要がある。そこで、たとえば特許文献１のような排気浄化装置が提案されている。
【０００４】
この排気浄化装置は、排気中の一酸化窒素を酸化するための酸化触媒及びＰＭ捕集フィルタを収納する第１の筐体と、還元触媒及び余剰アンモニアを酸化するためのアンモニア酸化触媒を収納する第２の筐体と、を備え、これら第１の筐体と第２の筐体との間を連結する配管に液体還元剤を噴射するノズルを配設している。そして、第１の筐体と第２の筐体とを車両のフレームを挟んで配置する（つまり横置きにする）ことにより、車両の前後方向に対しコンパクトに収めることができるようにしてある（文献段落０００６，０００７，０００９）。
【特許文献１】特開２００７−０４０２２４号公報
【発明の開示】
【発明が解決しようとする課題】
【０００５】
特許文献１に記載の排気浄化装置において液体還元剤を排気中に均一拡散させるには、連結配管の管長がある程度必要であり、車両のフレームを横断するように連結配管が配設されている（文献段落００１０）。すなわち、このような排気浄化装置では、液体還元剤を均一拡散させるために連結配管の長さを確保しなければならないので、排気上流から下流へかけての長さ方向のサイズについて小型化が難しく、特許文献１のようなレイアウトしかできないという制約がある。
【０００６】
本発明は、このような技術背景に着目したもので、レイアウトの制約がより少なく、さらなる省スペース化を実現可能な排気浄化装置を提案するものである。
【課題を解決するための手段】
【０００７】
本発明に係る排気浄化装置は、排気中の粒子状物質を捕集するフィルタを少なくとも収納した筒形の第１の筐体と、液体還元剤により窒素酸化物を還元浄化する還元触媒を少なくとも収納した筒形の第２の筐体と、を互いの軸線がほぼ平行となるようにして近接配置すると共に、これら両筐体の遠端部どうしを連結する連通管を、前記各筐体の端部側面に設けられた排出口及び流入口を連結し且つ該連通管の軸線が前記筐体の軸線とほぼ平行となるように配管してあって、前記第１の筐体から前記第２の筐体へ至る排気の流路が前記連通管により折り返されると共に、排気中に前記液体還元剤を噴射するノズルが前記連通管に配設されており、前記連通管は、前記排出口及び前記流入口との接続のための曲折部分を両端に形成した直線状の管であり、前記排出口に対する前記曲折部分に前記ノズルが配設されて、前記連通管の直線状の管内に向けて前記液体還元剤を噴射することを特徴とする。
【０００８】
第１の筐体については、ＰＭ捕集フィルタよりも排気上流側に、排気中の一酸化窒素を二酸化窒素に酸化する酸化触媒を収納することができ、また、第２の筐体については、還元触媒よりも排気下流側に、排気中のアンモニアを酸化するアンモニア酸化触媒を収納することができる。
【発明の効果】
【０００９】
本発明の排気浄化装置においては、並列配置した二つの筒形筐体の遠端部どうし（すなわち、互いに反対側に位置した遠い方の端部どうし）を連通管で連結したことにより、連通管の長さをかせぐことができる。したがって、当該連通管の端の方に液体還元剤のノズルを配設すれば、液体還元剤の均一拡散に十分な管長を得ることができる。そして、二つの筒形筐体を並列配置し且つその遠端部どうしを連結する連通管を配管する構造で、排気の流路を折り返しているので、排気上流から下流へかけての長さ方向のサイズを大きく縮小することができ、従来のように車両のフレームを跨いだ連結配管などのレイアウトとする必要がない。
【００１０】
本発明の排気浄化装置によれば、液体還元剤の均一拡散に十分な長さの連通管を確保したうえで、ほぼ平行に並べた二つの筐体のシルエット内に連通管も収まった、角形マフラー並みのコンパクトな形態を実現することが可能となり、従来のようなレイアウトの制約もなく、さらなる省スペース化を実現することができる。
【発明を実施するための最良の形態】
【００１１】
図１〜図３に、本発明の実施形態を示している。当実施形態の排気浄化装置は、一例としてディーゼルエンジンの排気系に設けられるもので、上述のようなＳＣＲと共にＰＭ捕集フィルタを備えた構成をもつ。
【００１２】
この実施形態に係る排気浄化装置は、筒形の第１の筐体１０と、同じく筒形の第２の筐体２０と、これら筐体１０，２０の遠端部どうしを連結する連通管３０と、を含んで構成されている。第１の筐体１０と第２の筐体２０とは、その軸線１０ａと軸線２０ａとがほぼ平行（見た目で平行という程度で良い）となるようにして、互いに並べて近接配置されている。そして、連通管３０も、その軸線３０ａが、筐体１０，２０の軸線１０ａ，２０ａとほぼ平行（同じく見た目で平行という程度で良い）となるように配管される。
【００１３】
第１の筐体１０は、排気上流端部に流入口１１が形成され、且つ排気下流端部に排出口１２が形成されている。本例の場合、流入口１１は排気上流端部の端面に、排出口１２は排気下流端部の側面に、それぞれ形成されている。そして、これら流入口１１と排出口１２との間に、排気中の一酸化窒素を二酸化窒素に酸化する酸化触媒１３と、排気中のＰＭを捕集するフィルタ１４とが、酸化触媒１３を排気上流側にして収納されている（図３）。
【００１４】
第２の筐体２０は、排気上流端部に流入口２１が形成され、且つ排気下流端部に排出口２２が形成されている。本例の場合、流入口２１及び排出口２２の両方とも、端部側面に形成されている。そして、これら流入口２１と排出口２２との間に、液体還元剤により窒素酸化物を還元浄化する還元触媒２３と、排気中のアンモニアを酸化するアンモニア酸化触媒２４とが、還元触媒２３を排気上流側にして収納されている（図３）。
【００１５】
連通管３０は、筐体１０，２０の遠端部どうし、すなわち、互いに反対側に位置した遠い方の端部である、第１の筐体１０の排気下流端部の排出口１２と、第２の筐体２０の排気上流端部の流入口２１と、を連結する。したがって、エンジンの排気は、流入口１１から第１の筐体１０に流入し、酸化触媒１３及びフィルタ１４を通過して排出口１２から連通管３０内へ入る。そして、連通管３０を経て流入口２１から第２の筐体２０に流入し、還元触媒２３及びアンモニア酸化触媒２４を通過して排出口２２から排出される。すなわち、第１の筐体１０から連通管３０を経由して第２の筐体２０へ至る排気の流路は、連通管３０により一度折り返されている。
【００１６】
また、連通管３０は、排出口１２及び流入口２１との接続のための曲折部分を両端に形成した直線状の直管で、その排出口１２に対する曲折部分にノズル３１が配設され、直線状の管内に向けて液体還元剤を噴射する（図３中点線）。これにより、排気中への液体還元剤の均一拡散に十分な直線長さが確保されている。なお、均一拡散の補助として、連通管３０内に網目状などの拡散板を設置することも可能である。
【００１７】
このような排気浄化装置によれば、二つの筐体１０，２０を近接させて並列に配置しており、そのシルエットは角形マフラー並みのコンパクトサイズとなっている。且つ、二つの筐体１０，２０の遠端部どうしを連通管３０で連結することにより、液体還元剤の均一拡散に十分な管長をかせぎながらも、その二つの筐体１０，２０のシルエット内に連通管３０も収められており、排気上流から下流へかけての長さ方向のサイズを大きく縮小することに成功している。
【００１８】
以上の実施形態では、第１及び第２の筐体１０，２０として、円形断面の筒形としたものを例示しているが、これに限らず、多角形断面の筒形とすることも可能である。あるいは、一つの箱体の内部を半分に仕切って第１の筐体と第２の筐体を形成することで、二つの筐体を並列に近接配置した構造とすることも可能である。
【図面の簡単な説明】
【００１９】
【図１】本発明の実施形態に係る排気浄化装置の平面図。
【図２】本発明の実施形態に係る排気浄化装置の斜視図。
【図３】本発明の実施形態に係る排気浄化装置の内部を説明する透視図。
【符号の説明】
【００２０】
１０  第１の筐体
１０ａ  軸線
１１  流入口
１２  排出口
２０  第２の筐体
２０ａ  軸線
２１  流入口
２２  排出口
３０  連結管
３０ａ  軸線
３１  ノズル
【図１】
0004286888.tif 000002
【図２】
0004286888.tif 000003
【図３】
0004286888.tif 000004